(57)【要約】【課題】取り扱いが容易で対象となる作業部位を照明し且つ拡大し得る拡大鏡と、この拡大鏡を用いた工具を提供する。【解決手段】拡大鏡は、アーム１６の一端にレンズ１０又はレンズを保持するフレーム１１を取り付けると共に他端に支持部材１７を取り付けてなり、レンズ又はフレームに対象を照明するＬＥＤ１４を設ける。工具は、はんだこて１を含む手持ち操作される工具であって、先端に目的の作業を行う作業部１ａが形成されると共に後端側に手によって把持される把持部１ｂが形成され、作業部と把持部との間に本体部１ｃが形成されており、該本体部に上記した拡大鏡を取り付ける。更に、本体部に所定の長さを持った案内部材２５を設け、案内部材に上記した拡大鏡の支持部材を取り付ける。【選択図】    図７
2006337993.tif 000002
【特許請求の範囲】
【請求項１】
アームの一端にレンズ又はレンズを保持するフレームを取り付けると共に他端に支持部材を取り付けてなり、前記レンズ又はフレームに対象を照明する発光ダイオードを設けたことを特徴とする拡大鏡。
【請求項２】
はんだこてを含む手持ち操作される工具であって、先端に目的の作業を行う作業部が形成されると共に後端側に手によって把持される把持部が形成され、更に、前記作業部と把持部との間に本体部が形成されており、前記本体部に請求項１に記載した拡大鏡を取り付けたことを特徴とする工具。
【請求項３】
前記本体部に所定の長さを持った案内部材を設け、該案内部材に請求項１に記載した拡大鏡の支持部材を取り付けるように構成したことを特徴とする請求項２に記載した工具。
【発明の詳細な説明】
【技術分野】
【０００１】
本発明は、対象となる局部を照明して拡大することができる拡大鏡と、この拡大鏡を取り付けた工具、特にはんだこてやドライバー等の手で操作される工具に関するものである。
【背景技術】
【０００２】
例えば、携帯電話や他の電子機器に用いられるプリント基板の電子部はマイクロチップ化している。この電子部を修正し或いは手直しする場合、はんだこてを用いたはんだ付け作業を行うことがあるが、このような作業は目視によって行われるのが一般的である。
【０００３】
また、携帯電話やゲーム機のような小型の電子機器の修正や手直しを行う際に、ドライバーによって微細なネジを回転させて部品の取り付け、取り外しを行うことも行われる。この場合も作業は目視によって行われるのが一般的である。
【発明の開示】
【発明が解決しようとする課題】
【０００４】
最近では電子部の小型化が進み、上記の如き微細な作業を目視下で行うのが困難になっているのが実情である。このため、スポット的にはんだ付け作業を行うところでは、作業すべき部位をはっきり見えるようにして作業を進めることが求められている。このことは、はんだ付け作業の分野のみならず、微細な作業を行うあらゆる分野から要求されていることである。例えば、蛍光灯などを利用したバックライト方式の拡大鏡を見ながら行っていることもあるが、作業し難く、思うように作業がはかどっていないのが現状である。
【０００５】
特に、プリント基板に使用される種々のマイクロチップは、目視によるはんだ付けが困難となってきているものの、対象となる作業領域を照明すると共にレンズによって拡大することで、目視下によるはんだ付け作業を行うことが可能であるため、このような条件を満たすはんだこての開発が求められている。
【０００６】
このため、本発明の目的は、取り扱いが容易で対象となる作業部位を照明し且つ拡大し得る拡大鏡と、この拡大鏡を用いた工具を提供することにある。
【課題を解決するための手段】
【０００７】
上記課題を解決するために本発明に係る拡大鏡は、アームの一端にレンズ又はレンズを保持するフレームを取り付けると共に他端に支持部材を取り付けてなり、前記レンズ又はフレームに対象を照明する発光ダイオードを設けたものである。
【０００８】
また本発明に係る工具は、はんだこてを含む手持ち操作される工具であって、先端に目的の作業を行う作業部が形成されると共に後端側に手によって把持される把持部が形成され、更に、前記作業部と把持部との間に本体部が形成されており、前記本体部に上記した拡大鏡を取り付けたものである。
【０００９】
上記工具に於いて、本体部に所定の長さを持った案内部材を設け、該案内部材に上記した拡大鏡の支持部材を取り付けるように構成することが好ましい。
【発明の効果】
【００１０】
本発明に係る拡大鏡では、レンズ又はフレームに発光ダイオード（ＬＥＤ）を取り付けたので、対象となる作業領域を照明することができる。またレンズ或いはフレームがアームの一端に取り付けられており、該アームの他端に支持部材が取り付けられているため、アームとレンズ又はフレームとの接続部分の構造を関節とすることによって、レンズを対象となる作業領域に向けた姿勢に調整することができる。
【００１１】
また本発明に係る工具では、本体部に上記拡大鏡を取り付けることによって、作業部の周辺を照明しつつ拡大して監視することができる。このため、微細な作業を良好な視覚環境で進めることができる。
【００１２】
更に、本体部に案内部材を設けることによって、該案内部に拡大鏡の支持部材を取り付けることが可能であり、且つ支持部材を案内部材に沿って移動させることで、レンズの焦点を合わせて良好な視界を実現することができる。
【発明を実施するための最良の形態】
【００１３】
以下、本発明に係る拡大鏡の好ましい形態について説明し、合わせてこの拡大鏡を工具としてのはんだこてに利用した場合の実施形態について説明する。
【００１４】
本発明の拡大鏡は、対象となる作業領域を照明すると共に拡大して作業員の疲労をのぞき、且つ作業能率を向上させるようにしたものである。このため、拡大鏡を構成するレンズ或いはレンズを保持するフレームにＬＥＤを取り付け、必要に応じてＬＥＤによって対象となる作業部位を照明すると共に拡大して覗けるように構成されている。
【００１５】
レンズ或いはフレームに取り付けるＬＥＤの数は特に限定するものではなく、対象となる作業領域（対象領域）を照明するには少なくとも１個のＬＥＤがあれば良い。しかし、レンズの何れの位置から覗いても対象領域に影が形成されることがないようにすることが好ましい。このため、レンズ或いはフレームに複数のＬＥＤを取り付けることで影がでないようにすることが好ましい。
【００１６】
拡大鏡を構成するレンズの倍率は特に限定するものではなく、対象物或いは対象領域を視認するのに必要な倍率を選択することが好ましい。またレンズの平面形状も特に限定するものではなく、円形や四角形、三角形或いは瓢箪型であって良い。
【００１７】
レンズ或いはフレームに取り付けたＬＥＤの電源としては電池或いはＡＣ／ＤＣアダプター等であって良い。これらの電源の制御は特に限定するものではなく、スイッチを利用して電源のオン−オフを行うことが可能である。また例えばアームとレンズ或いはフレームとの接続部分を蝶番やヒンジ等を含む関節とし、この関節（蝶番、ヒンジ等）の角度（アームの角度）に応じてオン−オフするようにしても良い。
【００１８】
本発明の拡大鏡に於いて、レンズ或いはフレームに取り付けたＬＥＤとは、レンズ或いはフレームに直接ＬＥＤを埋め込む構造と、ＬＥＤをアームの他端に取り付けた支持部材或いは例えば工具の把持部に配置し、このＬＥＤとレンズ或いはフレームの間に光ファイバーを配置し、ＬＥＤからの発光を光ファイバーで中継して対象物或いは対象領域に照明するような構造を含んでいる。
【００１９】
拡大鏡を構成するレンズ及びＬＥＤと電源からなる照明ユニットは、レンズの清掃を含む保守作業や電源の点検を含む点検作業の作業性を向上させるために、アームから簡単に取り外すことが可能なように構成されることが好ましい。
【００２０】
本発明の拡大鏡に於いてアームの構成は特に限定するものではないが、レンズ或いはフレームの姿勢を自由に調節し得るような構造を持ったものであることが好ましい。このようなアームとしては、レンズ或いはフレームとの接続部分、及び支持部材との接続部分を球面構造からなる関節とすることで実現することが可能である。またアームを可撓性を持った筒体（例えばフレキシブルパイプ）によって構成し、該アームとレンズ或いはフレーム、及び支持部材との接続部分を固定しても、レンズ或いはフレームの姿勢を自由に調節することが可能である。
【００２１】
支持部材は、アームの端部に取り付けられ、該アームとレンズ或いはフレームを支持する機能を有するものであり、拡大鏡を取り付ける部位の構造に応じて最適なものが構成される。例えば、拡大鏡を取り付ける部位が鋼板等の磁性体である場合、支持部材を磁石によって構成することが好ましい。また拡大鏡を取り付ける部位の形状が丸棒や角棒のような棒状体である場合、支持部材を棒状体を挟持し得る例えばクリップによって構成することも可能である。
【００２２】
また本発明に係る工具は、はんだこてのように作業員が手で操作して目的の作業を行うものであり、はんだ付けやねじまわし等の目的の作業を行うのに最適な形状と構造を持った作業部と、作業員が手で把持する把持部と、作業部と把持との間に構成された本体部と、を有し、本体部に上記の如く構成された拡大鏡を取り付けたものである。
【００２３】
拡大鏡を構成するレンズは、対象物或いは対象領域に対し正確に焦点を合わせることが好ましい。このため、本体部に該本体部に沿って所定の長さを持った直線的な案内部材を設け、この案内部材に拡大鏡を構成する支持部材を取り付け、取付位置を調整することで焦点を合わせるように構成することが好ましい。
【００２４】
案内部材の構造は特に限定するものではないが、工具がはんだこてである場合、はんだこての本体部と略平行に耐熱性を持った樹脂からなる板或いは棒を配置し、この板或いは棒に沿って拡大鏡の支持部材を移動させ、且つ焦点を合わせた位置で固定し得るような構造であることが好ましい。
【００２５】
特に、案内部材を金属等の磁性体からなる板或いは棒によって構成した場合には、拡大鏡を構成する支持部材を磁石とすることによって、拡大鏡の支持部材を案内部材に沿って容易に移動させることが可能であり、且つレンズの焦点を合わせた位置で固定することが可能である。
【００２６】
更に、工具としてはんだこてを利用する場合、拡大鏡を構成するレンズは熱の影響を受けるため、ガラスレンズ或いは耐熱性樹脂レンズ等を使用することが好ましく、且つフレームやアームも耐熱性を持った樹脂或いは金属を使用することが好ましい。
【００２７】
また、拡大鏡を構成する支持部材は、はんだこての本体部或いは把持部に固定される。この場合、単に拡大鏡をはんだこてに固定するのみの機能を有していれば良い。しかし、支持部材をはんだこての本体部に略同心軸上に嵌合して該本体部に固定される固定部材を設け、この固定部材をはんだこてのこて置き台として利用し得るように構成することが好ましい。更に、前記固定部材に案内部材を取り付けておくことで、こて置き台としての機能と、拡大鏡の取付位置を調整する機能の一体化をはかることが可能となり有利である。特に、固定部材及び案内部材を通電性を有する材料によって構成した場合には、作業に伴って発生した静電気を帯電させることなく逃がすことが可能となり好ましい。
【００２８】
レンズ或いはフレームに取り付けたＬＥＤのオン−オフを制御する機能を何れの部位に構成するかは、特に限定するものではなく、作業員が最も容易に操作し得る位置に構成することが好ましい。例えば工具がはんだこてである場合、はんだこての把持部に制御基板を収納し、ケーブルを介してＬＥＤに通電し得るように構成することが好ましい。
【００２９】
本発明に係る工具に於いて、ＬＥＤを利用した照明具を独立して設けることが可能である。即ち、対象物或いは対象領域が極めて暗いような場合、本発明の拡大鏡に添えて集光レンズとＬＥＤを組み合わせて構成すると共に、ステンレス等の金属或いは耐熱性樹脂等からなるフレキシブルパイプにおさめた照明具を配置することが可能である。
【００３０】
この場合、電源ははんだこて用の電源に接続したＡＣ／ＤＣアダブター、或いは別置き型電池を採用することが可能である。また、ＬＥＤの電気回路基板は、把持部の内部、或いはＡＣ／ＤＣアダプターの内部に配置し、フレキシブルパイプ内に配線を通して該フレキシブルパイプの先端に取り付けたＬＥＤに接続することが好ましい。
【００３１】
上記の如く構成された照明具を構成するＬＥＤを取り付けたフレキシブルパイプの先端をレンズに、或いはフォームに取り付けることで、拡大鏡を構成することも可能である。この場合、フレキシブルパイプ末端を支持部材に接続して末端処理を行うことが好ましい。
【実施例１】
【００３２】
次に、第１実施例に係る工具の構成について図１を用いて説明する。前述したように、本発明の工具は作業員が手で操作して目的の作業を行うものであれば適用することが可能である。このため、本実施例及び以下説明する実施例では、工具としてはんだこてを用いた場合について説明する。
【００３３】
図１（ａ）は、はんだこて１にＬＥＤを複数個配置した拡大鏡を取り付けたものである。はんだこて１は、先端に作業部を構成するはんだチップからなるこて部１ａが設けられると共に後端に把持部となるグリップ１ｂが設けられ、こて部１ａとグリップ１ｂの間に本体部１ｃが配置され、該本体部１ｃによってこて部１ａとグリップ１ｂを接続している。
【００３４】
はんだこて１の本体部１ｃは筒状に構成されており、内部にこて部１ａを構成するヒーターに通電する図示しない導線や絶縁体が設けられている。またこて部１ａ、本体部１ｃはねじ部材１ｄを介してグリップ１ｂに対して着脱可能に構成されており、これにより、こて部１ａの交換を行えるように構成されている。
【００３５】
こて部１ａの先端に接近させた位置にレンズ１０が設けられており、該レンズ１０はフレーム１１によって保持されている。特に、レンズ１０はフレーム１１に取り付けた取付バー１２の先端部分に固定されている。
【００３６】
フレーム１１はリング状に形成されており、はんだこて１の本体部１ｃを嵌合することで、該本体部１ｃの外周を取り囲んで構成されている。そしてフレーム１１には複数のＬＥＤ１４が配置されており、これらのＬＥＤ１４によって、対象物としてのこて部１ａの先端部位、或いは作業領域としての先端部周辺を照明することが可能である。
【００３７】
またフレーム１１は、アーム１５の他方の端部に設けた支持部材（本実施例ではねじ部材１ｄが兼ねている）を介してはんだこて１の本体部１ｃに取り付けられており、アーム１５の本体部１ｃに対する取付部位を適宜調整することで、レンズ１０のこて部１ａの先端部位、或いは作業領域に対して焦点を合わせることが可能である。
【００３８】
このため、同図（ｂ）に示すように、目的の作業領域５に於けるはんだ付けスポット６にレンズ１０を向けて焦点を合わせることで、容易にはんだ付け作業を進めることが可能となり、作業員の疲労を軽減することが可能となる。
【実施例２】
【００３９】
次にはんだこての第２実施例について図２により説明する。尚、図に於いて前述の実施例と同一の部分及び同一の機能を有する部分には同一の符号を付して説明を省略する（以下同じ）。
【００４０】
図２に示すように、レンズ１０には１個或いは複数個のＬＥＤ１４が取り付けられており、該ＬＥＤに図示しない電源に接続された電線１４ａが接続されている。
【００４１】
またレンズ１０はアーム１６の一方側の端部に設けたヒンジ１６ａに取り付けられており、アーム１６に対し所望の角度に設定し得るように構成されている。アーム１６の他方の端部にはヒンジ１６ａを介して支持部材となる磁石部材１７が設けられている。
【００４２】
ヒンジ１６ａの構造は特に限定するものではなく、蝶番を利用することが可能である。しかし、アーム１６の、及びレンズ１０の角度を調整する自由度を向上させるには、球と球面座とを嵌合させて構成した自在ヒンジを利用することが好ましい。この場合、レンズ１０をはんだこて１に対し如何なる角度に調整することも可能であり、目的の対象物或いは作業領域に対して対向させることが可能となる。
【００４３】
また磁石部材１７は磁石単独で構成されるものではなく、磁石を包むようにして保持するカバー部材を有している。
【００４４】
また、はんだこて１の本体部１ｃには、該本体部１ｃを強固に挟持し得るように構成された固定部材となるクリップ１８が配置され、該クリップ１８に磁石部材１７を構成する磁石が吸着することで、拡大鏡をはんだこて１に取り付けることが可能である。
【００４５】
特に、クリップ１８の本体部１ｃに対する挟持位置を適宜調整することによって、レンズ１０の焦点位置を変更させることが可能となり、更に、レンズ１０、必要に応じてアーム１６を夫々ヒンジ１６ａを介して所望の角度に調整することで、対象物或いは作業領域の所望の位置に焦点を合わせると共に拡大して視認することが可能となる。
【実施例３】
【００４６】
次にはんだこての第３実施例について図３により説明する。本実施例は、前述の第２実施例の構成に加えて更にＬＥＤを用いた照明具１９を設けたものである。
【００４７】
照明具１９は、可撓性を持った円筒管（スパイラルチューブ）１９ａの先端にＬＥＤ１９ｂを取り付けると共に、スパイラルチューブ１９ａの内部にＬＥＤ１９ｂに通電する電線１９ｃを配線し、先端部分をはんだこて１のこて部１ａの近傍に到達し得るように配置すると共に所定位置を例えば固定バンドのような固定具１９ｄによって本体部１ｃに固定して構成されている。
【００４８】
上記の如く構成した照明具１９を利用することによって、レンズ１０に取り付けたＬＥＤ１４のみでは対象物或いは対象領域に充分な照明を与えることが困難な場合に利用して有利である。
【００４９】
また、上記の如く構成された照明具１９を、図４に示すように、先端に設けたＬＥＤ１９ｂを直接レンズ１０に取り付けることも可能である。この場合、スパイラルチューブ１９ａがアームとしての機能を発揮してレンズ１０を所望の姿勢及び位置に調整することが可能となり、焦点を合わせる作業を容易に行うことが可能である。
【００５０】
更に、照明具１９は、図５に示すように構成することが可能である。即ち、スパイラルチューブ１９ａの先端に取り付けたＬＥＤ１９ｂの更に先端側に集光レンズ１９ｅを設けると共に保護具１９ｆを設けることで、ＬＥＤ１９ｂからの光を集光させて照射することが可能である。この照明具１９も、レンズ１０に取り付けたＬＥＤ１４のみでは対象物或いは対象領域に充分な照明を与えることが困難な場合に利用して有利である。
【実施例４】
【００５１】
次にはんだこての第４実施例について図６により説明する。本実施例は、ＬＥＤからの光を光ファイバーを利用してレンズ１０に伝えるようにしたものである。
【００５２】
図に示すように、ＬＥＤ１４ははんだこて１のグリップ１ｂ内に配置されており、ＬＥＤ１４の発光面に光ファイバー２０が対向している。この光ファイバー２０は、先端にレンズ１を取り付けたスパイラルチューブ２１の内部に配線されており、端部がレンズ１０に向けて対向している。またスパイラルチューブ２１の後端は締付金具２２を介して本体部１ｃまたはグリップ１ｂに固定されている。
【００５３】
上記の如く構成した本実施例では、スパイラルチューブ２１がアームとしての機能を発揮すると共に締付金具２２が支持部材としての機能を発揮する。このため、スパイラルチューブ２１を屈曲させてレンズ１０を所望の姿勢及び位置に調整することが可能となり、焦点を合わせる作業を容易に行うことが可能である。
【実施例５】
【００５４】
次にはんだこての第５実施例について図７〜図１０により説明する。尚、図７ははんだこての全体構成を示す斜視図である。図８はレンズ部分の構成を説明する図である。図９は拡大鏡の全体構成を説明する図である。図１０は案内部材の構成を説明する図である。
【００５５】
図７（ａ）に示すはんだこてはＬＥＤ１４の電源となるＡＣ／ＤＣアダブターをはんだこて１と別に設けて構成されており、同図（ｂ）に示すはんだこてはＬＥＤ１４の電源となる電気回路基板をはんだこて１のグリップ１ｂに内蔵して構成されており、グリップ１ｂにＬＥＤ１４に対する通電を制御するスイッチ１ｅが設けられている。そして前記電源部分以外は同じ構成になっている。このため、はんだこてとしての構成は同図（ａ）を用いて説明する。
【００５６】
図７（ａ）に示すように、はんだこて１の本体部１ｃに略平行に沿わせて、図１０に示すように構成された案内部材２５が取り付けられている。案内部材２５は、樹脂等の表面に金属等の磁性体を貼り合わせた構造で構成され本体部１ｃに沿った方向に予め設定された長さを持って形成された案内部２５ａを有している。案内部２５ａの形状は特に限定するものではないが、本実施例では長手方向の両側に突起部を設けた凹字状に形成されている。
【００５７】
尚、案内部材２５は拡大鏡を構成する支持部材の構造に対応して最適なものが構成されるため、必ずしも案内部２５ａを磁性体によって構成する必要はない。即ち、支持部材が磁石以外のもので構成されている場合、案内部２５ａは支持部材に於ける固定構造に従った構造に構成され、且つ耐熱性を持った樹脂を材料として構成することが可能である。
【００５８】
案内部材２５には図１０（ａ）に示す固定部材２６、或いは図１０（ｂ）に示す固定部材２７が取り付けられており、何れかの固定部材２６、２７を介してはんだこて１の本体部１ｃに固定されている。
【００５９】
固定部材２６は、はんだこて１の本体部１ｃを嵌合させる穴２６ａと、案内部材２５を固定する固定片２６ｂと、下端側に折返片２６ｃとが設けられている。このため、穴２６ａに本体部１ｃを嵌合させて図示しない止めねじで本体部１ｃに固定し、固定片２６ｂに図示しないねじ等によって案内部材２５を固定することで、該案内部材２５をはんだこて１に固定することが可能である。そして、折返片２６ｃを図示しない作業台等に載せておくことで、はんだこて１が直接作業台等に接触することを防いでいる。この固定部材２６は薄い鋼板によって構成することが可能であるが、耐熱性を持った樹脂であっても良い。
【００６０】
固定部材２７は、板バネ状の材料によって構成されており、はんだこて１の本体部１ｃを挟持し得るように構成された挟持部２７ａと、案内部材２５を固定する固定部２７ｂと、折返部２７ｃとを有している。そして、挟持部２７ａによって本体部１ｃを挟持することで案内部材２５をはんだこて１に固定し、折返部２７ｃを作業台等に載せておくことで、はんだこて１が直接作業台に接触することを防止している。
【００６１】
レンズ１０は図８（ａ）、（ｂ）に示すように、平面形状が四角形のものを利用することが可能である、このレンズ１０は、一方側の端部がフレーム１１に固定されており、該フレーム１１の略中央に支持バー２８が固定されている。尚、支持バー２８は、アーム１５またはアーム１６に接続されている。
【００６２】
フレーム１１の支持バー２８を接続した部位にＬＥＤ１４が配置されており、該ＬＥＤ１４からの光がフレーム１１に形成された穴を介して目的の対象物或いは作業領域に照射される。
【００６３】
またフレーム１１の一方側の面にセンサー２９が取り付けられている。このセンサー２９は後述するように、支持部材となる磁石部材１７のカバー１７ａを検出して信号を発生し、この信号に伴ってＬＥＤ１４に対する通電を開始し、或いは遮断するものである。センサー２９としては、接触式のセンサーや近接センサーを利用することが可能である。
【００６４】
レンズ１０は同図（ｃ）、（ｄ）に示すように構成しても良い。この場合レンズ１０は円形に形成されており、該レンズ１０の外周を包むようにフレーム１１が構成されている。またフレーム１１に於けるＬＥＤ１４と対応する位置には穴１１ａが形成されており、該穴１１ａを通してＬＥＤ１４の光が照射される。
【００６５】
図７（ａ）に示すはんだこて１に取り付ける拡大鏡は、図９に示すように構成されている。即ち、レンズ１０を取り付けたフレーム１１はアーム１６の一方側の端部に取り付けられており、他方の端部に設けたヒンジ１６ａを介して支持部材を構成する磁石部材１７が取り付けられている。本実施例では、磁石部材１７を構成するカバー１７ａの内部にはＬＥＤ１４の動作を制御する回路を構成した制御基盤が内蔵されている。
【００６６】
上記の如く構成された拡大鏡では、レンズ１０及びフレーム１１はアーム１６のヒンジ１６ａを中心として矢印ａ、ｂ方向に回動して、作業状態と非作業状態とで異なる姿勢を保持することが可能である。
【００６７】
特に、作業状態から矢印ｂ方向に回動してフレーム１１に設けたセンサー２９が磁石部材１７のカバー１７ａを検出したとき、該センサー２９からの信号によってＬＥＤ１４に対する通電を遮断することが可能であり、非作業状態から矢印ａ方向に回動してセンサー２９によるカバー１７ａの検出信号が停止したとき、このときの停止信号に応じてＬＥＤ１４に対する通電を開始することが可能である。
【００６８】
上記の如く構成されたはんだこて１では、レンズ１０、フレーム１１を矢印ａ方向に回動させて作業状態とし、この状態で磁石部材１７を、本体部１ｃに沿って配置された案内部２５ａに沿って移動させることで、レンズ１０の焦点を対象物或いは作業領域に合わせることが可能である。そしてレンズ１０の焦点が合ったとき、磁石部材１７を案内部材２５の案内部２５ａに吸着させることで固定することが可能である。レンズ１０の焦点を合わせるとき、フレーム１１がアーム１６に接続され、その端にヒンジ１６ａが接続されてそのヒンジ１６ａを回動させることにより容易に焦点の調整を行うことが可能となる。
【００６９】
そして、本実施例では、固定部材２６の折返片２６ｃを作業台に載せておくことで、はんだこて１の温度が上昇した場合でも、作業台に熱の影響を与えることがなく、且つ作業員が把持する際にもグリップ１ｂが傾斜した状態となっているため取り扱い易くなり有利である。
【実施例６】
【００７０】
次にはんだこての第６実施例について図１１により説明する。図に示すはんだこて１は、レンズ１０、フレーム１１をヒンジ１６ａを介してアーム１６に取り付けると共に、該アーム１６の他端を支持部材となる取付部材３０に嵌合して所望の部位で固定し得るように構成されている。
【００７１】
取付部材３０は、はんだこて１の本体部１ｃに嵌合する嵌合部３０ａと、アーム１６を嵌合させると共に該アーム１６を長手方向に摺動させる案内部３０ｂを有し、且つ案内部３０ｂに連続させてアーム１６を固定する固定部３０ｃを有している。
【００７２】
上記の如く構成されたはんだこて１では、取付部材３０を本体部１ｃに固定した後、アーム１６を取付部材３０の案内部３０ｂに沿って長手方向に摺動させると共に、レンズ１０、フレーム１１をヒンジ１６ａを中心として所望の方向に回動させることで、目的の対象物或いは作業領域に焦点を合わせることが可能である。そして、焦点があったとき、固定部３０ｃを操作してアーム１６を固定することで、目的の部位に焦点を合わせて作業能率を向上させることが可能である。
【産業上の利用可能性】
【００７３】
本発明の工具は、はんだこてのみならず、作業員が手で持って操作することで目的の作業を実施するための工具として利用することが可能である。
【図面の簡単な説明】
【００７４】
【図１】第１実施例に係る工具の構成を説明する図である。
【図２】はんだこての第２実施例を説明する図である。
【図３】はんだこての第３実施例を説明する図である。
【図４】はんだこての第４実施例を説明する図である。
【図５】照明具の構成例を説明する図である。
【図６】はんだこての第４実施例を説明する図である。
【図７】第５実施例のはんだこての全体構成を示す斜視図である。
【図８】レンズ部分の構成を説明する図である。
【図９】拡大鏡の全体構成を説明する図である。
【図１０】案内部材の構成を説明する図である。
【図１１】はんだこての第６実施例を説明する図である。
【符号の説明】
【００７５】
１                          はんだこて
１ａ                        こて部
１ｂ                        グリップ
１ｃ                        本体部
１ｄ                        ねじ部材
５                          作業領域
６                          はんだ付けスポット
１０                        レンズ
１１                        フレーム
１１ａ                      穴
１２                        取付バー
１４                        ＬＥＤ
１４ａ                      電線
１５                        アーム
１６                        アーム
１６ａ                      ヒンジ
１７                        磁石部材
１７ａ                      カバー
１８                        クリップ
１９                        照明具
１９ａ                      円筒管、スパイラルチューブ
１９ｂ                      ＬＥＤ
１９ｃ                      電線
１９ｄ                      固定具
１９ｅ                      集光レンズ
１９ｆ                      保護具
２０                        光ファイバー
２１                        スパイラルチューブ
２２                        締付金具
２５                        案内部材
２５ａ                      案内部
２６、２７                  固定部材
２６ａ                      穴
２６ｂ                      固定片
２６ｃ                      折返片
２７ａ                      挟持部
２７ｂ                      固定部
２７ｃ                      折返部
２８                        支持バー
２９                        センサー
３０                        取付部材
３０ａ                      嵌合部
３０ｂ                      案内部
３０ｃ                      固定部
【図１】
2006337993.tif 000003
【図２】
2006337993.tif 000004
【図３】
2006337993.tif 000005
【図４】
2006337993.tif 000006
【図５】
2006337993.tif 000007
【図６】
2006337993.tif 000008
【図７】
2006337993.tif 000009
【図８】
2006337993.tif 000010
【図９】
2006337993.tif 000011
【図１０】
2006337993.tif 000012
【図１１】
2006337993.tif 000013